(57)【要約】      （修正有）【課題】取り扱いが容易で、携行性にも優れる防水ポシェットを提供する。【解決手段】外装部材１１と、外装部材１１に先側を除く外周部が連結された内装部材１２とを備え、内装部材１２より外装部材１１が先側に突出して内装部材１２の先部が開口１３となって、開口１３の基側には蓋部１４と収納部１５を分ける直線状の折り曲げ部１６が形成されたポシェット本体１７と、ポシェット本体１７の一側又は両側に設けられた固定手段１８とを有する防水ポシェット１０であって、蓋部１４と収納部１５には、折り曲げ部１６を中央にして、折り曲げ時に掛合する面ファスナ片Ｐ、Ｑが設けられ、折り曲げ部１６には、内装部材１２を内側にして外装部材１１を折り曲げた時に、収納部１５への止水を行う防水機構が設けられている。【選択図】図２
0003208255.tif 000002
【実用新案登録請求の範囲】
【請求項１】
外装部材と、該外装部材に先側を除く外周部が連結された内装部材とを備え、前記内装部材より前記外装部材が先側に突出して前記内装部材の先部が開口となって、前記開口の基側には蓋部と収納部を分ける直線状の折り曲げ部が形成されたポシェット本体と、該ポシェット本体の一側又は両側に設けられた固定手段とを有する防水ポシェットであって、
前記蓋部と前記収納部には、前記折り曲げ部を中央にして、折り曲げ時に掛合する面ファスナ片Ｐ、Ｑが設けられ、前記折り曲げ部には、前記内装部材を内側にして前記外装部材を折り曲げた時に、前記収納部への止水を行う防水機構が設けられていることを特徴とする防水ポシェット。
【請求項２】
請求項１記載の防水ポシェットにおいて、前記外装部材及び前記内装部材はそれぞれゴム素材Ａ、Ｂからなって、前記ゴム素材Ａの厚みが前記ゴム素材Ｂの厚みより厚く、前記防水機構は、前記外装部材の内側にある直線状の溝をそれぞれ有する第１、第２の屈折部を備え、前記面ファスナ片Ｐ、Ｑは、前記内装部材の外側にあって、その端部が、前記折り曲げ部を中心として隙間を有して配置され、
折り曲げ時に、前記溝が閉じて１８０度曲げした前記外装部材の内側に、前記内装部材が１８０度曲げを起こして密着することを特徴とする防水ポシェット。
【請求項３】
請求項２記載の防水ポシェットにおいて、前記折り曲げ部の両側で１８０度曲げされた前記外装部材の隙間は、前記内装部材の厚みの１．６〜１．９倍の範囲にあることを特徴とする防水ポシェット。
【請求項４】
請求項１〜３のいずれか１項に記載の防水ポシェットにおいて、前記開口より先側にある前記外装部材には、前記収納部に設けられた前記面ファスナ片Ｑの基部に掛合する面ファスナ片Ｒが設けられていることを特徴とする防水ポシェット。
【請求項５】
請求項１〜４のいずれか１項に記載の防水ポシェットにおいて、前記固定手段は、前記外装部材の両側からそれぞれ突出して設けられた第１のベルトと、該第１のベルトより長い第２のベルトとを有し、
前記第１のベルトの先端部には前記第２のベルトの先側を該第１のベルトに連結する留め具が設けられ、前記第２のベルトの先側と前記外装部材にはこれらを掛合する面ファスナが設けられていることを特徴とする防水ポシェット。
【請求項６】
請求項１〜５のいずれか１項に記載の防水ポシェットにおいて、前記ゴム素材Ａ、Ｂは独立気泡を多数有するクロロプレンゴムであって、前記ゴム素材Ａの厚さは３〜５ｍｍ、前記ゴム素材Ｂの厚さは１〜２ｍｍであることを特徴とする防水ポシェット。
【請求項７】
請求項１〜６のいずれか１項に記載の防水ポシェットにおいて、前記開口より基側で、かつ前記折り曲げ部より先側にある前記内装部材の内側及び前記外装部材の内側には、当接時に掛合する面ファスナ片Ｘ、Ｙが設けられていることを特徴とする防水ポシェット。
【考案の詳細な説明】
【技術分野】
【０００１】
本考案は、耐水性に劣る小物を収納する防水ポシェットに関する。
【背景技術】
【０００２】
従来、一端に開口部を設けた合成樹脂製のメインケース部と、一端にメインケース部と対向する開口部を設け、かつメインケース部における幅方向の一端側の側面の上部にヒンジを介し開閉可能に装着される合成樹脂製のカバーケース部とを有し、カバーケース部がメインケース部の開口部を閉じたとき、メインケース部に設けた溝にカバーケース部に設けた係合突起が係合して水の浸入を防ぐ防水性小物入れが開示されている（例えば、特許文献１参照）。
また、ゴム等の耐水弾力性素材を用いて作製した袋の開口部側を折り返し、折り返した部分を金属等の高剛性素材で形成したクリップで外側から押圧することにより水の浸入を防止する防水性小物入れが従来から使用されている。
【先行技術文献】
【特許文献】
【０００３】
【特許文献１】特開２００１−２１１９２１号公報
【考案の概要】
【考案が解決しようとする課題】
【０００４】
しかしながら、特許文献１に記載の防水性小物入れは、メインケース部とカバーケース部が合成樹脂製であるため固くなって身体になじみ難く、かつ重量が収納する小物の重量に比較して非常に重くなるため、携行性に劣るという問題がある。また、小物の収納や取り出しの都度、開口部の開け閉めが必要となり、取り扱いが煩雑になるという問題がある。
一方、耐水弾力性素材を用いて作製した袋状の防水性小物入れは、柔らかく軽いため携行性に優れるが、小物の収納や取り出しの都度クリップを操作する必要があり、取り扱い難いという問題があると共に、防水性小物入れを携行する際にクリップが邪魔になるという問題を有する。
【０００５】
本考案はかかる事情に鑑みてなされたもので、取り扱いが容易で、携行性にも優れる防水ポシェットを提供することを目的とする。
【課題を解決するための手段】
【０００６】
前記目的に沿う本考案に係る防水ポシェットは、外装部材と、該外装部材に先側を除く外周部が連結された内装部材とを備え、前記内装部材より前記外装部材が先側に突出して前記内装部材の先部が開口となって、前記開口の基側には蓋部と収納部を分ける直線状の折り曲げ部が形成されたポシェット本体と、該ポシェット本体の一側又は両側に設けられた固定手段とを有する防水ポシェットであって、
前記蓋部と前記収納部には、前記折り曲げ部を中央にして、折り曲げ時に掛合する面ファスナ片Ｐ、Ｑが設けられ、前記折り曲げ部には、前記内装部材を内側にして前記外装部材を折り曲げた時に、前記収納部への止水を行う防水機構が設けられている。
【０００７】
本考案に係る防水ポシェットにおいて、前記外装部材及び前記内装部材はそれぞれゴム素材Ａ、Ｂからなって、前記ゴム素材Ａの厚みが前記ゴム素材Ｂの厚みより厚く、前記防水機構は、前記外装部材の内側にある直線状の溝をそれぞれ有する第１、第２の屈折部を備え、前記面ファスナ片Ｐ、Ｑは、前記内装部材の外側にあって、その端部が、前記折り曲げ部を中心として隙間を有して配置され、
折り曲げ時に、前記溝が閉じて１８０度曲げした前記外装部材の内側に、前記内装部材が１８０度曲げを起こして密着することが好ましい。
【０００８】
ゴム素材Ａからなる外装部材がゴム素材Ｂからなる内装部材より厚いので、収納部に入れた小物を外装部材で保護できる。
また、外装部材の内側に、折り曲げ時に閉じる直線状の溝を有する第１、第２の屈折部を設けることで、例えば、第１、第２の屈折部でそれぞれ、内装部材を内側にして外装部材を９０度ずつ折り曲げることができ、内装部材を内側にして外装部材を１８０度曲げすることが可能になる。ここで、第１、第２の屈折部では、折り曲げ時に溝が閉じるため、外装部材の９０度曲げされた部分に発生する弾性回復力は大幅に低減され、折り曲げに伴う戻り変形が抑えられる。また、面ファスナ片Ｐと面ファスナ片Ｑを掛止することにより、内装部材を内側にして外装部材を１８０度曲げた状態を確実に保持することができる。その結果、内装部材を内側にして外装部材を１８０度曲げした際、１８０度曲げされた内装部材が１８０度曲げされた外装部材の内側に密着することができ、折り曲げ部に収納部への止水を行う防水機構が形成される。
【０００９】
本考案に係る防水ポシェットにおいて、前記折り曲げ部の両側で１８０度曲げされた前記外装部材の隙間は、前記内装部材の厚みの１．６〜１．９倍の範囲とする。
これによって、内装部材の１８０度曲げされた領域を、外装部材の１８０度曲げされた領域で外側から押圧することができ、１８０度曲げされた内装部材を１８０度曲げされた外装部材の内側に一様に密着させることができ、止水を確実に行うことができる。
【００１０】
本考案に係る防水ポシェットにおいて、前記開口より先側にある前記外装部材には、前記収納部に設けられた前記面ファスナ片Ｑの基部に掛合する面ファスナ片Ｒが設けられていることが好ましい。
これによって、蓋部先側を収納部に掛止することができ、内装部材を内側にして外装部材を１８０度曲げした状態をより確実に維持することができる。
【００１１】
本考案に係る防水ポシェットにおいて、前記固定手段は、前記外装部材の両側からそれぞれ突出して設けられた第１のベルトと、該第１のベルトより長い第２のベルトとを有し、
前記第１のベルトの先端部には前記第２のベルトの先側を該第１のベルトに連結する留め具を設け、前記第２のベルトの先側と前記外装部材にはこれらを掛合する面ファスナを設けることができる。
これにより、状況に応じた最適な方法で、防水ポシェットを装着することができる。
【００１２】
本考案に係る防水ポシェットにおいて、前記ゴム素材Ａ、Ｂは独立気泡を多数有するクロロプレンゴムであって、前記ゴム素材Ａの厚さは３〜５ｍｍ、前記ゴム素材Ｂの厚さは１〜２ｍｍとすることができる。
これにより、防水ポシェットを柔らかで身体になじみ易く、かつ軽くすることができ、携行性を向上させることが可能になる。
【００１３】
本考案に係る防水ポシェットにおいて、前記開口より基側で、かつ前記折り曲げ部より先側にある前記内装部材の内側及び前記外装部材の内側には、当接時に掛合する面ファスナ片Ｘ、Ｙが設けられていることが好ましい。
これにより、内装部材の内側と外装部材の内側を密着させることができ（開口を閉じることができ）、収納部への止水をより確実に行うことができる。
【考案の効果】
【００１４】
本考案に係る防水ポシェットは、蓋部と収納部を分ける直線状の折り曲げ部に、内装部材を内側にして外装部材を折り曲げた時に、収納部への止水を行う防水機構が設けられるので、収納部に小物を収納して蓋部を閉じる（折り曲げ部で折り曲げて蓋部を収納部に掛合させる）操作を行うことで収納部への止水も行うことができ、防水ポシェットの取り扱いが容易となる。
【図面の簡単な説明】
【００１５】
【図１】本考案の一実施の形態に係る防水ポシェットを平面状に展開した際の外装部材側の平面図である。
【図２】同防水ポシェットを平面状に展開した際の内装部材側の平面図である。
【図３】内装部材を内側にして内装部材と外装部材を折り曲げ部で折り曲げ、蓋部と収納部を面ファスナ片Ｐ、Ｑを介して掛合させた状態の断面図である。
【図４】（Ａ）、（Ｂ）はそれぞれ同防水ポシェットが形成される前の段階の内装部材及び外装部材の断面図である。
【図５】図４に示す内装部材と外装部材を連結した際の位置関係を示す断面図である。
【考案を実施するための形態】
【００１６】
続いて、添付した図面を参照しつつ、本考案を具体化した実施の形態につき説明し、本考案の理解に供する。
図１、図２に示すように、本考案の一実施の形態に係る防水ポシェット１０は、外装部材１１と、外装部材１１に先側を除く外周部が連結された内装部材１２とを備え、内装部材１２より外装部材１１が先側に突出して内装部材１２の先部が開口１３となって、開口１３の基側には蓋部１４と収納部１５を分ける直線状の折り曲げ部１６が形成されたポシェット本体１７と、ポシェット本体１７の両側に設けられた固定手段１８とを有している。
そして、蓋部１４と収納部１５には、折り曲げ部１６を中央にして、折り曲げ時に掛合する面ファスナ片Ｐ、Ｑが設けられ、折り曲げ部１６には、内装部材１２を内側にして外装部材１１を折り曲げた時に、収納部１５への止水を行う防水機構１９（図３参照）が設けられている。以下、詳細に説明する。
ここで、掛合する面ファスナ片Ｐ、Ｑ（面ファスナ片Ｒ、Ｑ、面ファスナ片Ｘ、Ｙも同様）は、一方が微細なフックが起毛状に設けられたフックテープから、他方が微細なループが起毛状に設けられたループテープから構成されている。
【００１７】
外装部材１１及び内装部材１２を形成するゴム素材Ａ、Ｂは、独立気泡を多数有するクロロプレンゴムであって、ゴム素材Ａの厚さＴは、例えば、３〜５ｍｍ、ゴム素材Ｂの厚さｔは、例えば、１〜２ｍｍである（図３参照）。
外装部材１１及び内装部材１２が独立気泡を多数有するクロロプレンゴムであるため、防水ポシェット１０は柔らかで身体になじみ易く、かつ軽いため、携行性が向上する。また、外装部材１１が内装部材１２より厚いため、収納部１５に入れた小物は外装部材１１で包まれることになって、衝撃等の破損要因から小物を保護できる。
【００１８】
図１〜図３に示すように、折り曲げ部１６は、外装部材１１に形成される外装折り曲げ部２０と、内装部材１２に形成される内装折り曲げ部２１からなる。
図１、図２、図４（Ａ）、（Ｂ）に示すように、蓋部１４は、外装部材１１の外装折り曲げ部２０より先側となる領域からなる外装蓋部２２と、内装部材１２の内装折り曲げ部２１より先側となる領域からなる内装蓋部２３とを有し、内装蓋部２３の両側部が外装蓋部２２に連結されており、内装蓋部２３の先部が開口１３となる。従って、面ファスナ片Ｐは内装蓋部２３の外側に配置されている。また、収納部１５は、外装部材１１の外装折り曲げ部２０より基側となる領域からなる外装壁部２４と、内装部材１２の内装折り曲げ部２１より基側となる領域からなる内装壁部２５とを有し、内装壁部２５の両側部と基部が外装壁部２４に連結されている。従って、面ファスナ片Ｑは内装壁部２５の外側に配置されている。そして、面ファスナ片Ｐ、Ｑは、その端部が、折り曲げ部１６を中心として隙間を有して配置されている。
更に、図２、図４（Ｂ）に示すように、外装蓋部２２の内側で開口１３より先側の領域には、収納部１５に設けられた面ファスナ片Ｑの基部に掛合する面ファスナ片Ｒが設けられている。
【００１９】
図３、図４（Ｂ）に示すように、防水機構１９は、外装部材１１の内側にある直線状の溝２６を有する第１の屈折部２８と、外装部材１１の内側で溝２６より先側にあって溝２６と平行に形成された溝２７を有する第２の屈折部２９とを備えている。なお、溝２６、２７は、例えば、断面視して頂角が９０度のＶ型溝であって、溝２６、２７の間隔Ｗは内装部材１２の厚さｔの１．６〜１．９倍である。
【００２０】
図５に示すように、外装部材１１に内装部材１２の先側を除く外周部を連結すると、外装部材１１の内側と内装部材１２の内側が当接する状態となるので、外装部材１１の折り曲げに伴って、内装部材１２において溝２６、２７を覆う領域も折り曲げ変形することになる。このため、内装部材１２を内側にして外装部材１１を折り曲げて、溝２６を閉じる（溝２６の斜面３０、３１を当接させて接着する）ことにより、外装部材１１が略９０度の角度で山折りされた直線状の第１の屈折部２８を形成すると共に、溝２７を閉じる（溝２７の斜面３２、３３が当接させて接着する）ことにより、外装部材１１が略９０度の角度で山折りされた直線状の第２の屈折部２９を形成すると、内装部材１２を内側にして外装部材１１を１８０度曲げすることが容易になって、直線状の折り曲げ部１６を安定的に形成することができる。そして、１８０度曲げされて密着した内装部材１１において、内装部材１２の外側にそれぞれ配置された面ファスナ片Ｐ、Ｑを掛合し、１８０度曲げされた外装部材１１の内側の面ファスナ片Ｒを面ファスナ片Ｑの基部に掛合することで、内装部材１２を内側にして外装部材１１を１８０度曲げした状態を維持することができる。
【００２１】
外装折り曲げ部２０では溝２６、２７を設けたことにより、１８０度曲げされた外装部材１１内に生じる弾性回復力が大幅に低減されて、外装部材１１の戻り変形が抑えられるので、１８０度曲げされた内装部材１２に対して１８０度曲げされた外装部材１１が外側に広がるのが抑えられる。更に、溝２６、２７の間隔Ｗが内装部材１２の厚さｔの１．６〜１．９倍であるため、折り曲げ部１６（外装折り曲げ部２０）の両側で１８０度曲げされた外装部材１１の隙間は、内装部材１２の厚みｔの１．６〜１．９倍の範囲になって、１８０度曲げされた内装部材１２が、外側にある１８０度曲げされた外装部材１１を押圧することができる。これにより、１８０度曲げされた外装部材１１の内側に、１８０度曲げされた内装部材１２を確実に密着させることができ、止水を行うことができる。
【００２２】
図１、図２に示すように、固定手段１８は、外装部材１１（外装壁部２４）の両側からそれぞれ突出して設けられた第１のベルト３４と、第１のベルト３４より長い第２のベルト３５とを有する。そして、第１のベルト３４の先端部には、第２のベルト３５の先側の長さを調節しながら第２のベルト３５の先側を第１のベルト３４に連結する留め具３６が設けられている。
また、第２のベルト３５の先側と外装部材１１（外装壁部２４）には、１８０度折り曲げた第２のベルト３５の先側を外装壁部２４に掛合する面ファスナ３７が設けられている。ここで、面ファスナ３７は、第２のベルト２８の先側の外側面に取り付けられた面ファスナ片Ｕと、外装部材１４の外側面で第２のベルト３５の基側に連接する領域に取り付けられ、面ファスナ片Ｕと掛合する面ファスナ片Ｖとを有している。
【００２３】
このような構成とすることにより、第２のベルト３５の先側の長さを調節しながら第１のベルト３４に留め具３６を介して連結することで、例えば、人の腕に防水ポシェット１０を装着することができる。また、第２のベルト３５を、例えば、上着やズボンに設けたループ状の紐又はリング、ズボンのベルト等に巻き付けてから、第２のベルト３５の先側を面ファスナ３７を介して外装壁部２４に掛止することで、防水ポシェット１０を上着やズボンに吊り下げることができる。このため、状況に応じた最適な方法で防水ポシェット１０を携行することが可能になる。
【００２４】
続いて、本考案の一実施の形態に係る防水ポシェット１０の作用について説明する。
本考案に係る防水ポシェット１０は、ゴム素材の一例である独立気泡を多数有するクロロプレンゴムを用いて形成されているので、柔らかで身体になじみ易く、かつ軽いため、携行性に優れる。
【００２５】
そして、防水ポシェット１０では、内装部材１２の先部の開口１３（図２参照）から小物を装入し、収納部１５に対して蓋部１４を１８０度折り曲げて、折り曲げ部１６を中央にして両側に配置された面ファスナ片Ｐ、Ｑを掛合し、更に１８０度曲げされた外装部材１１の内側の面ファスナ片Ｒを面ファスナ片Ｑの基部に掛合して、内装部材１２を内側にして外装部材１１を１８０度曲げした状態を維持することにより、図３に示すように、１８０度曲げして形成された折り曲げ部１６に収納部１５への止水を行う防水機構１９を設けることができる。このため、防水ポシェット１０内への小物の装入と収納部１５への止水を同時に行うことができ、防水ポシェット１０の取り扱いが容易となる。
【００２６】
また、防水ポシェット１０では、面ファスナ片Ｐ、Ｑの掛合と、面ファスナ片Ｒ、Ｑの掛合を外して、蓋部１４の１８０度開く（開口１３を露出させる）ことにより、折り曲げ部１６に形成された防水機構１９を解除することができる。このため、防水機構１９の解除と、防水ポシェット１０内からの小物の取り出すための開口１３の露出を同時に行うことができ、防水ポシェット１０の取り扱いが容易となる。
【００２７】
ここで、図２に示すように、開口１３より基側で、かつ折り曲げ部１６より先側にある内装部材１２の内側、例えば、内装蓋部２３の内側で開口１３寄りの領域と、開口１３より基側で、かつ折り曲げ部１６より先側にある外装部材１１の内側、例えば、外装蓋部２２の内側で面ファスナ片Ｒに隣接する領域には、当接時に掛合する面ファスナ片Ｘ、Ｙが設けられていることが好ましい。
このような構成とすることにより、内装部材１２（内装蓋部２３）の内側の開口１３寄りの領域と外装部材１１（外装蓋部２２）の内側の開口１３寄りの領域を、面ファスナ片Ｘ、Ｙを介して密着させることができ、開口１３を閉じることが可能になる。その結果、収納部１５への止水をより確実に行うことができる。
【００２８】
以上、本考案を、実施の形態を参照して説明してきたが、本考案は何ら上記した実施の形態に記載した構成に限定されるものではなく、実用新案登録請求の範囲に記載されている事項の範囲内で考えられるその他の実施の形態や変形例も含むものである。
更に、本実施の形態とその他の実施の形態や変形例にそれぞれ含まれる構成要素を組合わせたものも、本考案に含まれる。
例えば、ポシェット本体の一側のみに、固定手段の一例として第２のベルトを設け、第２のベルトの先側と外装部材にはこれらを掛合する面ファスナを設けてもよい。
【符号の説明】
【００２９】
１０：防水ポシェット、１１：外装部材、１２：内装部材、１３：開口、１４：蓋部、１５：収納部、１６：折り曲げ部、１７：ポシェット本体、１８：固定手段、１９：防水機構、２０：外装折り曲げ部、２１：内装折り曲げ部、２２：外装蓋部、２３：内装蓋部、２４：外装壁部、２５：内装壁部、２６、２７：溝、２８：第１の屈折部、２９：第２の屈折部、３０、３１、３２、３３：斜面、３４：第１のベルト、３５：第２のベルト、３６：留め具、３７：面ファスナ
【図１】
0003208255.tif 000003
【図２】
0003208255.tif 000004
【図３】
0003208255.tif 000005
【図４】
0003208255.tif 000006
【図５】
0003208255.tif 000007